(57)【要約】円筒形プラグを備えた錠を制御するための鍵。そのシャンク（１０）の本体が、少なくともその長さの一部において中空の部分的閉鎖プロファイルによって形成される。このプロファイルの外側湾曲表面（１６）が、錠キャビティ内で鍵を回転させるように形成される。少なくともシャンク（１０）の側面部の端部（１２）に、錠の認証レバー（５）のアームを挿入するための開放キャビティが作られる。シャンク（１０）の少なくとも一部はＵ字またはＶ字形に作られる。シャンク（１０）のすくなくともそのような一部において、シャンク（１０）の内側および外側アーチ部の底部および／または壁が、少なくとも１つの開放コード化経路（９）および／または形成コード化表面を備えた少なくとも１つのコード化チャネル（１８）を備える。鍵を認証する錠は、そのハウジング（２）内で回転可能な少なくとも１つの円筒形プラグ（１）を含む。プラグ本体（１）には、その外側長手方向溝内に、ハウジング（２）の内側表面へと押しつけられる錠のばね付勢サイドバー（３）が設置される。サイドバー（３）は、プラグ（１）の枢軸上のプラグ（１）の長手方向軸線に一列に配置された複数の回転式認証レバー（５）内へ挿入されるよう適合され、またそれらは、プラグ（１）の長さに沿った横向きスロット（６）内に位置している。これらの認証レバー（５）は、鍵（１１）の誤ったコードの場合、プラグ（１）の溝（２３）内へのサイドバー（３）の挿入を妨げ、したがって錠のハウジング（２）内でのプラグ（１）の回転を妨げる位置において、ブロック機能状態になり、また一方、鍵（１１）の正しいコードの場合、解除状態において、それらは、プラグ（１）の溝（２３）内への方向のサイドバー（３）の動きを可能にし、したがって錠のハウジング（２）内でのプラグ（１）の回転を可能にする機能位置になる。認証レバー（５）は少なくとも部分的に鍵（１１）のキャビティ内へと突出し、それによって、認証レバー（５）と、鍵（１１）内のコード化経路（９）またはチャネル（１８）であるコードキャリアとの間の接触を達成することを可能にする。
2019526725.tif 000002
【特許請求の範囲】
【請求項１】
円筒形プラグを備えた錠を制御するための鍵であって、
シャンク（１０）の本体が、その長さの少なくとも一部において中空の部分的閉鎖プロファイルによって形成され、前記プロファイルの外側湾曲表面（１６）が、錠キャビティ内で前記鍵を回転させるために成形され、また少なくとも前記シャンク（１０）の横部分の端部（１２）に、前記錠の認証レバー（５）のアームを挿入するための開放キャビティが作られていることを特徴とする、鍵。
【請求項２】
前記シャンク（１０）の少なくとも一部がＵ字またはＶ字形であり、また前記シャンク（１０）の少なくともそのような部分において、前記シャンク（１０）の内側および／または外側アーチ部の底部および／または壁部が、少なくとも１つの開放コード化経路（９）、および／または成形コード化表面を有する少なくとも１つのコード化チャネル（１８）を備えることを特徴とする、請求項１に記載の鍵。
【請求項３】
前記開放コード化経路（９）および／またはコード化チャネル（１８）の形状および／または寸法および／または位置が、シャンク（１０）の長手方向軸線における前記鍵（１１）の挿入方向に変化していることを特徴とする、請求項２に記載の鍵。
【請求項４】
シャンク（１０）の前記部分的閉鎖プロファイルに、互いに分離または交差した経路を有する少なくとも２つのコード化チャネルがあることを特徴とする、請求項１から３までのいずれか一項に記載の鍵。
【請求項５】
シャンク（１０）の外側表面に、ディンプルまたは穴（２０）および／または溝（２１）の形状をした追加のコード化要素が作られていることを特徴とする、請求項１から４までのいずれか一項に記載の鍵。
【請求項６】
請求項１から５までのいずれか一項に記載の鍵を認証するための錠であって、前記錠は、前記鍵（１１）のシャンク（１０）の中空の部分的閉鎖プロファイルを挿入するためのキャビティを備えた、錠のハウジング（２）内に回転可能に取り付けられる少なくとも１つの円筒形プラグ（１）を含み、前記プラグ（１）は、その外側の長手方向溝内に、前記ハウジング（２）の内側表面に係合する、好ましくはバイアスをかけられたサイドバー（３）を備えている、錠において、
前記サイドバー（３）は、複数の回転認証レバー（５）内に挿入するために適合され、前記認証レバー（５）は、前記プラグ（１）の枢軸上の前記プラグ（１）の長手方向軸線に一列に配置され、かつ前記プラグ（１）の長さに沿った横方向スロット（６）内に位置し、これらの認証レバー（５）は、前記鍵（１１）の誤ったコードの場合、前記プラグ（１）の前記溝（２３）内への前記サイドバー（３）の挿入を妨げ、したがって前記錠の前記ハウジング（２）内での前記プラグ（１）の回転を妨げる位置において、ブロック機能状態になり、また前記鍵（１１）の正しいコードの場合、前記プラグ（１）の前記溝（２３）内への方向の前記サイドバー（３）の動きを可能にし、したがって前記錠の前記ハウジング（２）内での前記プラグ（１）の回転を可能にする機能的位置において、ブロック解除状態になり、また前記認証レバー（５）は、少なくとも部分的に前記鍵（１１）の前記キャビティ内に突出し、それによって、前記認証レバー（５）と前記鍵（１１）内のコードキャリアとの間の接触に到達することを可能にすることを特徴とする、錠。
【請求項７】
全ての認証レバー（５）がダブルアームレバーによって形成され、前記レバーの形成ブロック端部（７）が前記サイドバー（３）と協働するように適合され、前記レバーの他方のアーム（８）の形成端部、あるいはその突起部（１５）が、前記鍵（１１）内のコードキャリアとの接触のために形成されていることを特徴とする、請求項６に記載の錠。
【請求項８】
前記回転ブロックレバー（５）の前記ダブルアームレバーの第１のブロックアーム（７）は、前記プラグ（１）内に配置された押しばね（１４）上に配置される突起部（１３）を備え、前記認証レバー（５）の前記ダブルアームレバーの他方のコード化アーム（８）の端部は、前記鍵（１１）の前記部分的閉鎖シャンク（１０）の内壁の一部における前記開放コード化経路（９）または前記コード化チャネル（１８）との接触のために突出部またはくちばし部（１５）として形成されていることを特徴とする、請求項７に記載の錠。
【請求項９】
前記サイドバー（３）は、解除状態において、前記錠の前記ハウジング（２）の内側表面に作られた前記溝（４）の底部と、前記認証レバー（５）の前記ブロックレバー（７）内のスロットと間で移動可能な状態であることを特徴とする、請求項７から８までのいずれか一項に記載の錠。
【請求項１０】
少なくとも１つのブロックピン（２５）を有し、前記ブロックピン（２５）は、ばね（２６）を使用して前記鍵（１１）のコード化ディンプル（２０）と接触するように押し出されるように、また前記サイドバー（３９）と協働するように適合され、前記ブロックピン（２５）は、前記鍵（１１）の誤ったコードの場合、前記プラグ（１）の前記溝内への前記サイドバー（３）の完全な挿入を妨げ、したがって前記錠の前記ハウジング（２）内での前記プラグ（１）の回転を妨げる位置において、ブロック機能的状態になり、また前記鍵（１１）の正しいコードの場合、ブロック解除状態において、前記ブロックピン（２５）は、前記サイドバー（３）の前部（２４）またはノーズ部（３）が、前記錠の前記プラグ（１）の輪郭内にある位置へと前記サイドバー（３）の作動を可能にし、したがって前記錠の前記ハウジング（２）内での前記プラグ（１）の回転を可能にする機能位置にあることを特徴とする、請求項７から９までのいずれか一項に記載の錠。
【発明の詳細な説明】
【技術分野】
【０００１】
本発明は、円筒形プラグを備えた錠を制御する鍵と、さらにこの鍵を認証する錠との構造に関連する。
【背景技術】
【０００２】
提示される発明の主題に関する先行技術の最も近い文書は、国際特許出願公開第２０１５／０５１４７５Ａ１号であり、これは円筒形プラグによって錠を制御するための鍵と、さらにこの鍵を認証するための錠との構造ついて記載している。シャンク（鍵軸）は中空の閉鎖本体からなり、シャンクキャビティの内側表面には成形コード化経路、あるいはコード化チャネルがある。鍵を認証するための錠は、このコード化経路またはチャネルに関連付けられるブロックアームを含む。コード化要素を備えた中空の閉鎖本体からなるシャンクはまた、米国特許第５８７６０３号および米国特許第４９４３４０号にも記載されている。これらの構造の欠点は、錠の組み合わせの数が数万程度に限られることである。
【発明の概要】
【０００３】
提示される発明の課題は、特に、円筒形プラグを備えた錠のための鍵のセキュリティレベル、流通性（ｄｉｓｔｒｉｂｕｔｉｏｎ）、および組み合わせ能力を高め、それによりコードの読み取りを防ぐこと、または最大限に困難にさせることである。
本発明の対象は、円筒形プラグを制御するための鍵、およびさらには、ハウジング内で回転可能な少なくとも１つの円筒形プラグを備えた錠アセンブリであって、ハウジング内側表面に押し付けられるばね付勢サイドバーが外側の長手方向溝内のプラグ本体内にある錠アセンブリである。
本発明の原理は、その長さの少なくとも一部において中空の部分的閉鎖プロファイル（または断面）によって形成された鍵シャンク本体にあり、その外側湾曲表面は、錠キャビティ内でシャンクが回転可能であるように形成され、また少なくともシャンクの側方部の端部には、錠の認証レバーのアームを挿入するための開放キャビティが作られている。
【０００４】
少なくともシャンクの一部分は、Ｕ字またはＶ字形に作られてもよく、少なくともシャンクのそのような一部分において、シャンクの内側および外側アーチ部の底部および／または壁が、少なくとも１つの開放コード化経路および／または形成コード化表面を備えた少なくとも１つのコード化チャネルを有する。
【０００５】
開放形成されたコード化経路および／またはコード化チャネルの形状および／または寸法および／または位置は、シャンクの長手方向軸線における鍵の挿入方向に変化している。
部分的閉鎖鍵シャンクの断面において、互いに離れた経路または交差する経路を有する少なくとも２つのコード化チャネルがあってもよい。
【０００６】
シャンクの外側表面には、ディンプルまたは穴、および／もしくは溝の形状の追加のコード化要素も形成されてもよい。
【０００７】
本発明の主題はまた、上述の鍵の認証を確認するための錠でもあり、この錠は、鍵シャンクの中空の部分的閉鎖プロファイルを挿入するためのキャビティを備えた少なくとも１つの円筒形プラグを含み、シャンク本体は、少なくともその長さの一部において、中空の部分的閉鎖プロファイルによって形成され、その外側湾曲表面は、錠のキャビティ内において鍵を回転させるように形成される。少なくとも側方鍵部の端部に、錠認証レバーのアームを挿入するための開放キャビティが作られる。円筒形プラグは、そのハウジング内で回転可能である一方、プラグ本体内では、錠のばね付勢サイドバーが外側長手方向溝に設置され、ハウジングの内側表面に押し付けられる。サイドバーは、プラグの枢軸上の長手方向軸線に一列に配置された回転式認証レバー内へ挿入するように適合されており、またそれらは、プラグの長さに沿った横向きスロット内に位置付けられる。これらの認証レバーは、鍵の誤ったコードの場合にブロック機能状態にあり、プラグの溝内へのサイドバーの挿入を妨げ、したがって錠ハウジング内でのプラグの回転を妨げる。一方、正しい鍵コードの場合、ブロック解除状態にあり、それらは、プラグの溝内への方向のサイドバーの動きを可能にし、したがって錠ハウジング内でのプラグの回転を可能にする機能位置にあり、同時に、認証レバーは鍵のキャビティ内に少なくとも突出し、これは認証レバーと、鍵のコード化経路またはチャネルであるコードキャリアとの間の接触を達成することを可能にする。
【０００８】
全ての認証レバーはダブルアームレバー（ｔｗｏ−ａｒｍ  ｌｅｖｅｒ）によって形成され、このレバーの形成ブロック端部（ｓｈａｐｅｄ  ｂｌｏｃｋｉｎｇ  ｅｎｄ）はサイドバーを挿入するように適合され、一方、このレバーの他のアームの形成端部、場合によりそのスタンプは、鍵のコードキャリアと接触するように形成される。
【０００９】
回転認証レバーのダブルアームの第１のブロックアームは、プラグ内に設置された押しばね上に置かれる突起部を備えていてもよい。認証レバーのダブルアームの他方のコード化アームの端部は、部分的閉鎖鍵シャンクの内壁の一部における開放コード化経路またはコード化チャネルとの接触のためにスタンプ部またはくちばし部になるように形成されていてもよい。
【００１０】
ブロックシステムは、ブロック解除状態において、錠ハウジング内に作られる溝の底部と、認証レバーのブロックアーム内のスロットとの間で動作可能なバーを含む。
【００１１】
錠は、サイドバー内に挿入可能であるブロックピンであって、ばねを使用して鍵のコード化ディンプルと接触するように押し出すように適合されたブロックピンを少なくとも含み、一方、誤った鍵コードの場合、ブロックピンは、プラグの溝内へのサイドバーの完全な挿入を妨げ、したがって錠ハウジング内でのプラグの回転を妨げる位置において、ブロック機能状態になり、また正しい鍵コードの場合、ブロック解除状態において、それは、サイドバーのノーズ部が錠プラグの輪郭内にある位置へのサイドバーの動きを可能にし、したがって錠ハウジング内でのプラグの回転を可能にする機能位置にある。
【００１２】
提示される発明の利点は、特に、鍵シャンクの内部キャビティに位置するそのようなコーディング（ｃｏｄｉｎｇ；暗号）であり、これは、既知の手段（２Ｄまたは３Ｄスキャナ）を使用した鍵のスキャニングを防ぎ、また視覚によるコード読解の可能性を著しく制限する。記載した発明の利点はまた、湾曲表面を備えた中空ビームの形状によって得られる、曲げやねじりに対する鍵の高い耐性、および鍵と協働する錠の非常に多くの組み合わせである。
【００１３】
錠アセンブリおよびその制御のための鍵の例は、添付の図面に見ることができる。
【図面の簡単な説明】
【００１４】
【図１】本発明による錠制御のための鍵を示す不等角投影図である。
【図２】横方向垂直断面における、図１による鍵を示す図である。
【図３】部分垂直断面における正面図における、回転ブロックレバーの１つを備えた錠の円筒形プラグを示す図あって、そのダブルアームの一方のアームがばねによって鍵壁のコード化表面と噛み合うように押し付けられ、その他方のアームが、その凹部によりサイドバーに適合する機能位置にあり、サイドバーは円筒形プラグの外周を超えず、ハウジング本体内におけるプラグの自由な回転を可能にしている、図である。
【図４】鍵プロファイルのＵ字形端部の底部のコード化表面の高さによって決まる位置にあるブロックレバーの回転により、ブロックレバーの凹部内へのサイドバーの挿入が可能でなく、したがってハウジング内でのプラグの回転が可能でないときの、図１および２による鍵が挿入された錠ハウジング内の円筒形プラグアセンブリを示す図である。
【図５】レバーの凹部内へのサイドバーの挿入を可能にし、したがってプラグ全体の回転を可能にするブロックレバーの位置にある、図４によるアセンブリを示す図である。
【図６】鍵のコード化表面がＵ字形プロファイル側部の底部の表面に生成された設計の、図１による鍵を示す図である。
【図７】鍵のコード化表面がＵ字形プロファイル側部の底部の表面に生成された設計の、図１による鍵を示す図である。
【図８】鍵のコード化表面が鍵の内側アーチ状壁内の溝に生成された設計の、図１による鍵を示す図である。
【図９】鍵のコード化表面が鍵の内側アーチ状壁内の溝に生成された設計の、図１による鍵を示す図である。
【図１０】鍵のコード化表面が鍵のＵ字形プロファイルの内壁に生成されており、これが鍵シャンク内によく隠され、その読み取りがより困難である他の設計の、図１による鍵を示す図である。
【図１１】鍵のコード化表面が鍵のＵ字形プロファイルの内壁に生成されており、これが鍵シャンク内によく隠され、その読み取りがより困難である他の設計の、図１による鍵を示す図である。
【図１２】鍵のコード化表面の可視度を比較するための３つの設計を示す図であり、ここで、１番下はＵ字形プロファイルの底部にコード化表面を有する変形例であり、中段は鍵の内側アーチ部の壁あるコード化溝であり、１番上はＵ字形プロファイルの内壁にある部分的コード化表面である。
【図１３】断面における、鍵シャンクプロファイルの様々な形状変形例を示す図である。
【図１４】鍵シャンクのプロファイルに合わせたブロックレバーの設計を示す図であり、ここで、コード化レバーの外側湾曲表面が円筒形プラグの内側円筒形表面の湾曲と一致し、コード化表面が、シャンクプロファイルの底部に位置し、可能であれば、コード化溝が、軸プロファイル壁に生成され、それがコード化レバーくちばし部によって読み取られる。
【図１５】中空半閉鎖鍵の内側アーチ部に位置する溝コードを示す図であり、この状態において、コード化レバーは、コード化溝内に突出するくちばし部によって回転されており、またこのレバーは、レバー内のスロットがサイドバーの位置と一致して、プラグが錠ハウジング内で回転できるように回転されている。
【図１６】サイドバーとコード化部分のためのスロットとを備えた錠プラグの不等角投影図である。
【図１７】コイルばね上に位置する予め付勢されたサイドバーを伴う、図１６による錠プラグの図である。
【図１８】長手方向断面における、図１７による設計を示す図である。
【図１９】ブロックレバーの２つの設計の比較を示す。
【図２０】サイドバーの配置に応じたブロックレバー形状の基本的な変形例を示す。
【図２１Ａ】シャンクの上部のディンプルまたは穴、および／もしくは溝の形状の追加のコード化要素がある鍵を示す図である。
【図２１Ｂ】鍵シャンクの底部側の追加のディンプルがシャンクの外側表面に形成された鍵を示す図である。
【図２２Ａ】互いに離れた経路を備える２つのコード化チャネルが半閉鎖プロファイルにある、鍵の内側から見た図である。
【図２２Ｂ】交差した経路を備える２つのコード化チャネルが半閉鎖プロファイルにある、鍵の内側から見た図である。
【図２３】シャンクの底部側に作られたディンプルによって制御されるばね付勢ブロックピンの断面を示す図であって、ブロックピンはサイドバーと協働しており、シャンクの底部側の誤ったコードの場合に、錠プラグに作られた長手方向溝内へのサイドバーの挿入を妨げ、したがって錠ハウジング内でのプラグの回転を妨げる図である。
【発明を実施するための形態】
【００１５】
以下の記述では、錠アセンブリと、それを制御するための鍵とについて述べる。この錠は、１つまたは２つの円筒形プラグ（円筒形差込み部）１を含み、それぞれハウジング２内に位置付けられている。プラグ本体１には、ばね付勢サイドバー３（図３、４、５、１５、１６、１７および１８参照）が外側の長手方向溝内に配置され、これは（錠のプラグ１の円筒形開口内に設置される）２つのばね２２によって、（ノーズ形状の）その前休止部２４をブロック位置へと、ハウジング２の内側表面に向かって押し付けられている。サイドバー３は、サイドバー３のための長手方向溝２３の底に据え付けられたコイルばね２２によって、完全に外側に押し出された位置へと適合される。
【００１６】
プラグ１の共通の枢軸上に隣接して一列に配置された複数の回転ブロックレバー５がサイドバー３と協働し、これらはプラグ１の本体の長さに沿った横方向スロット６内に設置される（図１６、１７および１８）。
【００１７】
全てのブロックレバー５は、ダブルアームレバーによって形成され、プラグ１と錠のハウジング２との間の境界表面の解除機能位置において、サイドバー３は、このレバーの第１のアーム７の形成端部に適合し、それにより錠のハウジング２の内側でのプラグ１の回転を可能にする（図３、５および１５参照）。このレバーのもう一方のアーム８の形成端部は、押しばね１４の推力により、鍵１１の半閉鎖中空シャンク１０の内側壁の一部においてコード化経路９（またはチャネル１８）の形成表面と接触する（図５および１５参照）。押しばね１４は、回転ブロックレバー５のダブルアームレバーのうちの第１のアーム７のスタンプ（切り株部）１３に取り付けられる（図３および４参照）。全ての回転ブロックレバー５が正確に回転させられた場合、ブロックレバー５の凹部内へ所定の深さまでサイドバー３を押すことができるようになり、それによりサイドバー３はプラグ１の外周を越えることなく、したがって円筒形プラグ１の本体（ハウジング２）内でプラグ１の自由な回転が可能になる。
【００１８】
ブロックレバー５のいくつかの基本的な形状が図２０に示される。これらはサイドバー３およびプラグ１内の長手方向溝４の位置に応じて選ばれる。ハウジング２における長手方向溝４と、プラグ１におけるサイドバー３の対応位置との角度位置は一般的（ｇｅｎｅｒａｌ）なものである。ブロックレバー５の形状は、それらの機能、強さ、最小材料消費量および操作妨害能力（いわゆるピッキング）の要求に応じている。図１９は、ブロックレバー５の２種の設計の比較を示す。図１９の右側では、ブロックレバー５は、コード化溝またはチャネル１８内へと突出している突起部またはくちばし部１５によって回転される。図１９の左側では、ブロックレバー５は、波状のコード化経路９とレバー５の縁部との接触によって回転される。
【００１９】
図４は、押しばね１４によってコード化経路９の外側表面に向かって押された（鍵１１のシャンク１０の所与の点におけるコード化経路９の波状表面の高さによって決定される）ブロックレバー５の位置または回転により、サイドバー３がブロックレバー５の凹部内に挿入するのを妨げられているときの、本発明によるアセンブリを示す。サイドバー３は、プラグ１の輪郭線から押し出されたままであり、ハウジング２の内側表面の長手方向溝４内へ突出している。この場合、ハウジング２内でのプラグ１のわずかな回転が、サイドバー３と、ハウジング２の内側表面の長手方向溝４との間のクリアランスの範囲内でのみ可能である。
図５に示される、押しばね１４によってコード化経路９の外側表面に向かって押された（シャンク１１の所定の点でのコード化経路９の波状の表面の高さにより与えられる）ブロックレバー５の位置または回転により、サイドバー３をブロックレバー５の凹部内へ挿入することが可能になり、したがってプラグ１全体の回転もまた可能になる。
【００２０】
本発明による錠を制御するための鍵１１はシャンク１０を有し、その本体は、少なくともその長さの一部に、各回転ブロックレバー５のダブルアームのうちの一方のアーム（第１のアーム７）の挿入のための開放裂部１９を備えた中空半閉鎖断面（プロファイル）によって形成される。鍵１１は、金属、ガラス、セラミック、プラスチック、石材、および／または木材（木材との合成物）から作られていてもよい。シャフト１０の本体は、有利には、その長手方向軸線に対して対称である。鍵１１のヘッドは厚さ約３ミリメートルであり、その鋼製シャンク１０は全長２５〜３５ミリメートル、幅１０〜１３ミリメートル、壁厚約０.５〜２ミリメートルである。
【００２１】
考え得るひとつの設計では、鍵１１のシャンク１０は外側湾曲表面１６（図１および２）を有し、この湾曲表面１６の少なくとも一部の湾曲が、錠の円筒形プラグ１のハウジング２の内側表面の湾曲と一致する。鍵１１のシャンク１０の両側はＵ字形であり、幅約２〜２.５ミリメートルであるその底部、またはシャンク１０のこの部分の内壁が、形成コード化経路９（またはチャネル）を備えている。
鍵１１の他の設計（図１４）では、そのシャンク１０の外側湾曲表面１６は、錠の円筒形プラグ１のハウジング２の内側表面の湾曲と同心であり、シャンク１０の側部はＵ字形に形成され、この部分において、底部またはシャンク１０の内側または外側のアーチ部分の壁がコード化チャネル１８または溝を備えている。
【００２２】
鍵１１のシャンク１０の外側表面には、ディンプルまたは穴２０、および／もしくは溝２１の形状の追加のコード化要素が形成され得る（図２１参照）。鍵１１のシャンク１０の半閉鎖プロファイルには、分離または交差した少なくとも２つ経路９を備えたコード化チャネルがあってもよい（図２２参照）。
【００２３】
サイドバー３はさらに、垂直に設置されたブロックピン２５と協働するように適合されており、これらブロックピン２５は、プラグ１の垂直開口内に位置し、かつ鍵１１のシャンク１０の外側表面上のコード化ディンプルと接するようにばね２６によって押されている（図２３）。鍵１１のシャンク１０の外側表面上に誤ったコード２０を備える鍵を挿入したとき、サイドバーのノーズ部（鼻先部）２４が錠プラグ１の輪郭内にある位置であって、錠ハウジング２の内側での錠プラグ１の回転が可能である位置に向けて、サイドバー３を動かすことが不可能になる。
【００２４】
錠のブロックシステムもまた、少なくとも１つのブロックピン２５を含むことができ（図２３参照）、ブロックピン２５は、ばね２６を使用して、かつサイドバー３と協働して、コード化ディンプル２０と接触するように押し出されるよう適合される。
【００２５】
鍵１１は、少なくとも１つの電子的、磁気的または生物測定的センサー、あるいはそれらの組み合わせの原理に基づく追加のコードも含むことができる。それは、鍵の使用中の動きに基づく発電に役立つ電子デバイスも含むことができる。
【符号の説明】
【００２６】
１  プラグ
２  ハウジング
３  サイドバー
４  ハウジングの内側表面の長手方向溝
５  認証レバー
６  プラグ本体スロット
７  認証レバーのダブルアームレバーの第１の(ブロック)アーム
８  認証レバーのダブルアームレバーの第２の（コード化）アーム
９  開放コード化経路
１０  シャンク
１１  鍵
１２  シャンク端部
１３  ブロックレバーのダブルアームレバーのアームスタンプ
１４  ばね
１５  突起部またはくちばし部
１６  シャンク外側湾曲表面
１７  Ｕ字形シャンク部分
１８  コード化チャネル
１９  裂部
２０  （シャンク外側湾曲表面１６の）コード化ディンプル
２１  （シャンク外側湾曲表面１６の）コード化溝
２２  コイルばね
２３  錠プラグ１内のサイドバー３挿入用溝
２４  サイドバー３のノーズ部
２５  ブロックピン
２６  ブロックピンばね
【図１】
2019526725.tif 000003
【図２】
2019526725.tif 000004
【図３】
2019526725.tif 000005
【図４】
2019526725.tif 000006
【図５】
2019526725.tif 000007
【図６】
2019526725.tif 000008
【図７】
2019526725.tif 000009
【図８】
2019526725.tif 000010
【図９】
2019526725.tif 000011
【図１０】
2019526725.tif 000012
【図１１】
2019526725.tif 000013
【図１２】
2019526725.tif 000014
【図１３】
2019526725.tif 000015
【図１４】
2019526725.tif 000016
【図１５】
2019526725.tif 000017
【図１６】
2019526725.tif 000018
【図１７】
2019526725.tif 000019
【図１８】
2019526725.tif 000020
【図１９】
2019526725.tif 000021
【図２０】
2019526725.tif 000022
【図２１Ａ】
2019526725.tif 000023
【図２１Ｂ】
2019526725.tif 000024
【図２２Ａ】
2019526725.tif 000025
【図２２Ｂ】
2019526725.tif 000026
【図２３】
2019526725.tif 000027
【国際調査報告】
2019526725.tif 000028
2019526725.tif 000029
2019526725.tif 000030